(57)【要約】【課題】  効率的に曲情報を取得することができる曲情報配信システム及び曲情報配信装置を提供すること。【解決手段】  ＴＯＣ情報を受信した曲情報配信装置２００のＣＰＵ２０は、ＴＯＣ情報に関連する曲情報を曲情報データベース２３にて検索し、抽出された曲情報のデータ量が最大送信容量よりも大きいか否かを判定する（ステップＳ１１〜ステップＳ１３）。ＣＰＵ２０は、抽出された曲情報のデータ量が最大送信容量よりも小さい場合は、他の曲情報などを送信する余地があるため、他の曲情報などを検索するための情報としてユーザＤＢ２４からユーザの履歴情報を取得する（ステップＳ１４）。そして、ＣＰＵ２０は、送信する曲情報などのデータ量が最大送信容量以下である場合は、今回の検索で抽出されたアーティストの他の曲情報などを検索して、車載オーディオ装置１００のＣＰＵ２に送信する（ステップＳ１５〜ステップＳ２１）。【選択図】        図３
2005346640.tif 000002
【特許請求の範囲】
【請求項１】
車両に設けられた車載装置と外部局に設けられた曲情報配信装置とが通信接続された曲情報配信システムであって、
前記車載装置は、
前記曲情報配信装置と通信を行なう車載送受信手段と、
複数の楽曲データ及び当該複数の楽曲データの目次情報であるコンテンツデータを記憶した音楽媒体から当該楽曲データ及びコンテンツデータを読み込む読込手段と、
前記コンテンツデータに対応付けて前記楽曲データの曲情報を記憶する車載記憶手段と、
前記読み込まれたコンテンツデータに対応する楽曲データの曲情報が前記車載記憶手段に記憶されてない場合に、当該コンテンツデータを前記曲情報配信装置に送信する車載制御手段とを備え、
前記曲情報配信装置は、
前記車載装置と通信を行なう外部局送受信手段と、
前記コンテンツデータと前記曲情報とを関連付けて記憶する曲情報記憶手段と、
前記受信したコンテンツデータに関連する曲情報及び当該曲情報に関係する付加的な曲情報を前記曲情報記憶手段から検索すると共に、当該検索にて抽出された曲情報を前記車載装置に送信する外部局制御手段とを、
を備えることを特徴とする曲情報配信システム。
【請求項２】
前記曲情報は、前記楽曲データのアーティストを含むものであり、前記外部局制御手段は、前記受信したコンテンツデータに関連する曲情報のアーティストと同じアーティストの別の曲情報を前記付加的な曲情報として検索することを特徴とする請求項１に記載の曲情報配信システム。
【請求項３】
前記曲情報は、前記楽曲データのジャンルを含むものであり、前記外部局制御手段は、前記受信したコンテンツデータに関連する曲情報のジャンルと同じジャンルの別の曲情報を前記付加的な曲情報として検索することを特徴とする請求項１又は請求項２に記載の曲情報配信システム。
【請求項４】
前記曲情報は、前記楽曲データの曲調を含むものであり、前記外部局制御手段は、前記受信したコンテンツデータに関連する曲情報の曲調と同じ曲調の別の曲情報を前記付加的な曲情報として検索することを特徴とする請求項１乃至請求項３のいずれかに記載の曲情報配信システム。
【請求項５】
前記車載制御手段は、前記車載装置のユーザを識別するためのユーザ識別情報を備えており、当該ユーザ識別情報を前記コンテンツデータと共に前記曲情報配信装置に送信するものであり、前記曲情報配信装置は、前記ユーザ識別情報と当該ユーザ識別情報毎の検索履歴及び送信履歴とを関連付けて記憶するユーザ情報記憶手段を備え、前記外部局制御手段は、当該ユーザ情報記憶手段に基づいて前記ユーザの好みを判定すると共に、当該ユーザの好みに応じて前記付加的な曲情報を検索することを特徴とする請求項１乃至請求項４のいずれかに記載の曲情報配信システム。
【請求項６】
前記曲情報記憶手段は、前記曲情報に関連する付加情報を記憶しており、前記外部局制御手段は、前記ユーザの好みに応じて当該付加情報を検索すると共に、当該検索にて抽出された当該付加情報を前記車載装置に送信することを特徴とする請求項５に記載の曲情報配信システム。
【請求項７】
前記外部局制御手段は、前記ユーザ情報記憶手段に記憶されていない曲情報、付加情報を前記車載装置に送信することを特徴とする請求項５又は請求項６に記載の曲情報配信システム。
【請求項８】
前記曲情報配信装置は、前記外部局送受信手段にて送信する送信量を規定する最大送信容量が設定されており、前記外部局制御手段は、当該送信量が最大送信容量以内である場合に、前記曲情報、付加情報を検索することを特徴とする請求項１乃至請求項７のいずれかに記載の曲情報配信システム。
【請求項９】
車載装置との通信を行なう外部局送受信手段と、
複数の楽曲データ及び当該複数の楽曲データの目次情報であるコンテンツデータを記憶した音楽媒体の前記コンテンツデータと当該コンテンツデータに対応する曲情報とを関連付けて記憶する曲情報記憶手段と、
前記車載装置から前記コンテンツデータを受信すると、当該コンテンツデータに関連する曲情報及び当該曲情報に関係する付加的な曲情報を前記曲情報記憶手段から検索すると共に、当該検索にて抽出された曲情報を当該車載装置に送信する外部局制御手段とを、
を備えることを特徴とする曲情報配信装置。
【請求項１０】
前記曲情報は、前記楽曲データのアーティストを含むものであり、前記外部局制御手段は、前記受信したコンテンツデータに関連する曲情報のアーティストと同じアーティストの別の曲情報を前記付加的な曲情報として検索することを特徴とする請求項９に記載の曲情報配信装置。
【請求項１１】
前記曲情報は、前記楽曲データのジャンルを含むものであり、前記外部局制御手段は、前記受信したコンテンツデータに関連する曲情報のジャンルと同じジャンルの別の曲情報を前記付加的な曲情報として検索することを特徴とする請求項９又は請求項１０に記載の曲情報配信装置。
【請求項１２】
前記曲情報は、前記楽曲データの曲調を含むものであり、前記外部局制御手段は、前記受信したコンテンツデータに関連する曲情報の曲調と同じ曲調の別の曲情報を前記付加的な曲情報として検索することを特徴とする請求項９乃至請求項１１のいずれかに記載の曲情報配信装置。
【請求項１３】
前記車載装置のユーザを識別するためのユーザ識別情報と当該ユーザ識別情報毎の検索履歴及び送信履歴とを関連付けて記憶するユーザ情報記憶手段を備え、前記外部局制御手段は、当該ユーザ情報記憶手段に基づいて前記ユーザの好みを判定すると共に、当該ユーザの好みに応じて前記付加的な曲情報を検索することを特徴とする請求項９乃至請求項１２のいずれかに記載の曲情報配信装置。
【請求項１４】
前記曲情報記憶手段は、前記曲情報に関連する付加情報を記憶しており、前記外部局制御手段は、前記ユーザの好みに応じて当該付加情報を検索すると共に、当該検索にて抽出された当該付加情報を前記車載装置に送信することを特徴とする請求項１３に記載の曲情報配信装置。
【請求項１５】
前記外部局制御手段は、前記ユーザ情報記憶手段に記憶されていない曲情報、付加情報を前記車載装置に送信することを特徴とする請求項１３又は請求項１４に記載の曲情報配信システム。
【請求項１６】
前記曲情報配信装置は、前記外部局送受信手段にて送信する送信量を規定する最大送信容量が設定されており、前記外部局制御手段は、当該送信量が最大送信容量以内である場合に、前記曲情報、付加情報を検索することを特徴とする請求項９乃至請求項１５のいずれかに記載の曲情報配信装置。
【発明の詳細な説明】
【技術分野】
【０００１】
本発明は、曲情報配信システム及び曲情報配信装置に関するものである。
【背景技術】
【０００２】
従来、ＣＤなどの音楽媒体の曲情報をインターネット網を介して配信する曲情報配信システムが知られている。
【０００３】
この曲情報配信システムは、クライアント側の情報機器のＣＤドライブにＣＤを装填すると、情報機器はＣＤドライブにより読み込まれたＴＯＣ情報を、インターネット網を介して所定の外部局のサーバに送信する。外部局のサーバでは、クライアントから送られてきたＴＯＣ情報を検索キーとしてデータベース内を検索し、該当するＣＤのアルバム名、アーティスト名、曲名、ジャンル等の曲情報をクライアントに送信する。
【発明の開示】
【発明が解決しようとする課題】
【０００４】
しかしながら、クライアント側の情報機器としてカーオーディオ装置など車載装置を用いる場合、車載装置におけるインターネット環境は、インターネット網へ接続する度に接続料金が課金されたり、通信容量が小さかったりなど環境が整っていない場合がある。
【０００５】
このようなインターネット環境における車載装置にて曲情報を取得しようとした場合、新しいＣＤを購入するたびにインターネット接続料金が必要となったり、大量の曲情報を一括して取得しようとすると通信時間が長くなったりなど効率的に曲情報を取得することができなかった。
【０００６】
本発明は、上記問題点に鑑みなされたものであり、効率的に曲情報を取得することができる曲情報配信システム及び曲情報配信装置を提供することを目的とするものである。
【課題を解決するための手段】
【０００７】
上記目的を達成するために請求項１に記載の曲情報配信システムは、車両に設けられた車載装置と外部局に設けられた曲情報配信装置とが通信接続された曲情報配信システムであって、車載装置は曲情報配信装置と通信を行なう車載送受信手段と、複数の楽曲データ及びその複数の楽曲データの目次情報であるコンテンツデータを記憶した音楽媒体から楽曲データ及びコンテンツデータを読み込む読込手段と、コンテンツデータに対応付けて楽曲データの曲情報を記憶する車載記憶手段と、読み込まれたコンテンツデータに対応する楽曲データの曲情報が車載記憶手段に記憶されてない場合に、コンテンツデータを曲情報配信装置に送信する車載制御手段とを備える。そして、曲情報配信装置は車載装置と通信を行なう外部局送受信手段と、コンテンツデータと曲情報とを関連付けて記憶する曲情報記憶手段と、受信したコンテンツデータに関連する曲情報及びその曲情報に関係する付加的な曲情報を曲情報記憶手段から検索すると共に、この検索にて抽出された曲情報を車載装置に送信する外部局制御手段とを備えることを特徴とするものである。
【０００８】
このように、外部局に設けられた外部局制御手段が、受信したコンテンツデータに関連する曲情報と、その曲情報に関係する付加的な曲情報を曲情報記憶手段から検索して、この検索にて抽出された曲情報を車載装置に送信することによって、車載送受信手段にて通信を行なう頻度を減らすことができ効率的に曲情報を取得することができる。
【０００９】
また、音楽には自分の好みのアーティスト、ジャンル、曲調があることが多いものである。よって、音楽媒体を購入する際にも、同じアーティストの音楽媒体をシリーズで購入したり、同じジャンルの音楽媒体をシリーズで購入したり、同じ曲調の音楽媒体をシリーズで購入したりすることが多い。
【００１０】
従って、請求項２、請求項３、請求項４に示すように、同じアーティストの別の曲情報、同じジャンルの別の曲情報、同じ曲調の別の曲情報を付加的な曲情報として検索することによって、新たな音楽媒体を購入した場合でも、曲情報が車載記憶手段に記憶されている可能性が高くなり通信を行なう頻度を減らすことができる。
【００１１】
また、請求項５に記載の曲情報配信システムでは、車載制御手段は車載装置のユーザを識別するためのユーザ識別情報を備えており、ユーザ識別情報をコンテンツデータと共に曲情報配信装置に送信するものであり、曲情報配信装置はユーザ識別情報とユーザ識別情報毎の検索履歴及び送信履歴とを関連付けて記憶するユーザ情報記憶手段を備え、外部局制御手段はユーザ情報記憶手段に基づいてユーザの好みを判定すると共に、ユーザの好みに応じて付加的な曲情報を検索することを特徴とするものである。
【００１２】
このように、ユーザ識別情報毎の検索履歴及び送信履歴に基づいてユーザの好みを判定し、このユーザの好みに応じて付加的な曲情報を検索することによっても、通信を行なう頻度を減らすことができる。
【００１３】
また、請求項６に記載の曲情報配信システムでは、曲情報記憶手段は曲情報に関連する付加情報を記憶しており、外部局制御手段はユーザの好みに応じて付加情報を検索すると共に、検索にて抽出された付加情報を車載装置に送信することを特徴とするものである。
【００１４】
このように、曲情報記憶手段に付加情報を記憶しておき、ユーザの好みに応じた付加情報を車載装置に送信することによって、曲情報以外の情報も取得することができる。
【００１５】
また、請求項７に記載の曲情報配信システムでは、外部局制御手段は、ユーザ情報記憶手段に記憶されていない曲情報、付加情報を車載装置に送信することを特徴とするものである。
【００１６】
このように、過去に送信したことがない曲情報、付加情報を車載装置に送信することによって、無駄な通信を防止することができる。
【００１７】
また、請求項８に記載の曲情報配信システムでは、曲情報配信装置は外部局送受信手段にて送信する送信量を規定する最大送信容量が設定されており、外部局制御手段は送信量が最大送信容量以内である場合に、曲情報、付加情報を検索することを特徴とするものである。
【００１８】
このように、外部局制御手段は送信量が最大送信容量以内である場合に、曲情報、付加情報を検索することによって、通信時間が極端に長くなることなく曲情報などを取得することができる。
【００１９】
また、請求項９乃至請求項１６に記載の表示装置での作用・効果に関しては、上述の請求項１乃至請求項７と同様であるため説明を省略する。
【発明を実施するための最良の形態】
【００２０】
以下、本発明の実施の形態における曲情報配信システムに関して、図面に基づいて説明する。図１は本発明の実施の形態に係わる車載オーディオ装置１００の概略構成を示すブロック図である。図２は本発明の実施の形態に係わる曲情報配信装置２００の概略構成を示すブロック図である。なお、本実施の形態においては、本発明における車載装置を車載オーディオ装置１００に適用し、音楽媒体として音楽ＣＤ１ａを用いた例にて説明する。  
【００２１】
本実施の形態における曲情報配信システムは、車載オーディオ装置１００と曲情報配信装置２００とから構成され、この車載オーディオ装置１００と曲情報配信装置２００とは図示しないインターネット網を介して通信接続される。
【００２２】
まず、車載オーディオ装置１００に関して説明する。図１に示すように車載オーディオ装置１００は、車載オーディオ装置１００の全体の動作を制御するＣＰＵ２にバスを介してＣＤドライブ１、送受信部３、ＨＤＤ４、Ｄ／Ａコンバータ５、ＲＯＭ６、ＲＡＭ７、表示制御部８、リモコン受信機９が接続される。
【００２３】
ＣＤドライブ１は、音楽ＣＤ１ａを回転可能な状態で保持するターンテーブルや、音楽ＣＤ１ａに記憶された楽曲データ、ＴＯＣ（Table Of Contents）情報を読み込む光ピックアップなどを備える。ＣＤドライブ１は、音楽ＣＤ１ａが挿入されると音楽ＣＤ１ａをターンテーブルで回転させながら光ピックアップにて音楽ＣＤ１ａに記憶された楽曲データ及びＴＯＣ情報を読み込み、その読み込んだ楽曲データ及びＴＯＣ情報をＣＰＵ２へ出力する。なお、ＴＯＣとは、音楽ＣＤ１ａに記録されている楽曲の曲数、演奏時間、休止時間等の演奏時間情報を記録してある目次情報であり、本発明におけるコンテンツデータに相当するものである。
【００２４】
ＣＰＵ２は、通常のコンピュータとして構成されており、ＣＤドライブ１から出力された楽曲データをＤ／Ａコンバータ５に出力する。また、ＣＰＵ２は、ＣＤドライブ１から出力されたＴＯＣ情報を送受信部３に出力する。なお、ＣＰＵ２は本発明における車載制御手段に相当するものである。
【００２５】
送受信部３は、送信部、変調部、復調部、受信部などを備えたモデムなどからなる。送受信部３はＣＰＵ２に制御され、ＲＯＭ６に記憶されたアドレス情報（ＵＲＬ：Uniform Resource Locatorなど）に基づいてインターネット網を介して曲情報配信装置２００と通信接続し、データの送受信を行なう。なお、送受信部３を介して送受信されるデータとは、ＴＯＣ情報、曲情報、及びユーザ識別情報などである。このユーザ識別情報は、曲情報配信装置２００にてユーザを識別するために車載オーディオ装置１００のユーザに割りふられた情報である。
【００２６】
ＨＤＤ４は、ＴＯＣ情報と曲情報とを関連付けて記憶するものであり、本発明における車載記憶手段に相当する曲情報ＤＢ（以下、曲情報データベースとも称する）を備える。曲情報は、曲情報配信装置２００から送信されるものであり、ＣＰＵ２は、曲情報を曲情報配信装置２００から受信する度に曲情報データベースを更新する。なお、曲情報とは、音楽ＣＤ１ａのアルバム名、アーティスト名、曲名、ジャンル、発売日、曲調などであり、同じアーティスト名、同じジャンル、同じ曲調毎にリンクされている。また、曲情報データベースには、曲情報配信装置２００から送信される新譜の発売情報（新規アルバム情報）、コンサート情報などの付加情報も記憶される。
【００２７】
Ｄ／Ａコンバータ５は、ＣＰＵ２から出力される楽曲データファイルをアナログ信号に変換し、そのアナログ信号をアンプ５ａに出力する。アンプ５ａは、Ｄ／Ａコンバータ５から出力された楽曲データファイルのアナログ信号を増幅したのち、スピーカ５ｂに出力する。そして、スピーカ５ｂは、アンプ５ａから出力されたアナログ信号を放音する。
【００２８】
ＲＯＭ６には、システムプログラム、フォントデータ、アドレス情報、ユーザ識別情報などが記憶されている。システムプログラムは、ＣＰＵ２が車載オーディオ装置１００の動作を制御する際のプログラムである。フォントデータは、歌詞や曲名などをモニタ８ａに表示するためのものであり、明朝体や丸ゴジック体などの複数種類のフォントが記憶されている。
【００２９】
ＲＡＭ７は、ＣＰＵ２などが動作する上で必要なデータを一旦格納するワークエリアが設定される。表示制御部８は、モニタ８ａと接続されており、ＲＯＭ６に格納されたフォントを使用して演奏中の音楽ＣＤ１ａの曲情報を表示する。
【００３０】
リモコン受信機９は、赤外線受信部などを備える。リモコン受信機９は、リモコン９ａから送信される赤外線信号を受信すると、その赤外線信号に応じて音楽ＣＤ１ａの再生・停止などの車載オーディオ装置１００の操作と関連付けられた操作信号をＣＰＵ２に出力する。
【００３１】
次に、曲情報配信装置２００に関して説明する。曲情報配信装置２００は、図示しない楽曲情報を管理・配信するサービスプロバイダなどの外部局に設けられるものである。図２に示すように曲情報配信装置２００は、曲情報配信装置２００の全体の動作を制御するＣＰＵ２０にバスを介して送受信部２１、ＨＤＤ２２が接続される。
【００３２】
ＣＰＵ２０は、本発明における外部局制御手段に相当するものであり、通常のコンピュータとして構成されており、曲情報、ユーザデータなどの検索、及び検索にて抽出された曲情報などの送信などを行なう。また、ＣＰＵ２０は、後ほど説明する最大送信容量が設定されており、曲情報を検索する際には、送信する曲情報などのデータ量がこの最大送信容量以内である場合に曲情報を検索する。
【００３３】
送受信部２１は、送信部、変調部、復調部、受信部などを備えたモデムなどからなる。送受信部２１はＣＰＵ２に制御され、インターネット網を介して曲情報配信装置２００と通信接続し、データの送受信を行なう。なお、送受信部２１を介して送受信されるデータとは、ＴＯＣ情報、曲情報、及びユーザ識別情報である。
【００３４】
ＨＤＤ２２は、本発明における曲情報記憶手段に相当する曲情報データベース２３（図２では、曲情報ＤＢと記載）、本発明におけるユーザ情報記憶手段に相当するユーザデータベース２４（図２では、ユーザＤＢと記載）を備える。
【００３５】
曲情報データベース２３は、ＴＯＣ情報と曲情報とが関連付けて記憶されたデータベースであり、アルバムが発売される度にＣＰＵ２０によって更新される。この曲情報とは、音楽ＣＤ１ａのアルバム名、アーティスト名、曲名、ジャンル、発売日、曲調などである。また各曲情報は、同じアーティスト名、同じジャンル、同じ曲調毎にリンクされている。更に、曲情報データベース２３には、アーティスト、ジャンル、曲調に関連した新譜の発売情報（新規アルバム情報）、コンサート情報などの付加情報も記憶されている。
【００３６】
ユーザデータベース２４は、ユーザの好みを判定するためのものであり、ユーザ識別情報と履歴情報とが関連付けされて記憶されたデータベースである。ＣＰＵ２０は、曲情報データベース２３を検索する度にこのユーザデータベース２４を更新する。履歴情報とは、検索履歴、送信情報履歴を含むものであり、ＣＰＵ２０が車載オーディオ装置１００から送信されたユーザ識別情報に対してどのような曲情報を検索したか、及びどのような曲情報を送信したか、及び検索日付、送信日付など示すものである。
【００３７】
ここで、本実施の形態における車載オーディオ装置１００及び曲情報配信装置２００の動作について説明する。図３は、本発明の実施の形態に係わる車載オーディオ装置１００の動作を示すフロー図である。図４は、本発明の実施の形態に係わる曲情報配信装置２００の動作を示すフロー図である。
【００３８】
なお、図３に示すフローは、ＣＤドライブ１に音楽ＣＤ１ａが挿入されるとスタートする。また、図４に示すフローは、曲情報配信装置２００（ＣＰＵ２０）がＴＯＣ情報及びユーザ識別情報を受信するとスタートする。
【００３９】
図３におけるステップＳ１では、車載オーディオ装置１００のＣＰＵ２は、ＣＤドライブ１から出力されるＴＯＣ情報を取得する。
【００４０】
図３におけるステップＳ２では、ＴＯＣ情報を取得したＣＰＵ２は、このＴＯＣ情報に関連する曲情報を車載オーディオ装置１００のＨＤＤ４の曲情報データベースにて検索する。これは、ＴＯＣ情報に関連する曲情報を曲情報配信装置２００から取得するか否かを判定するためである。既に関連する曲情報を曲情報配信装置２００から取得しており、車載オーディオ装置１００のＨＤＤ４に曲情報が記憶されているようなＴＯＣ情報である場合、改めて曲情報を取得する必要はない。
【００４１】
図３におけるステップＳ３では、ＣＰＵ２は、ステップＳ２での検索結果に基づいて、曲情報があるか否かを判定し、車載オーディオ装置１００のＨＤＤ４に曲情報が記憶されていた場合はステップＳ８へ進み、ＨＤＤ４に曲情報が記憶されていなかった場合はステップＳ４へ進む。
【００４２】
図３におけるステップＳ４では、ＣＰＵ２は、曲情報配信装置２００のＣＰＵ２０にＴＯＣ情報を送信できるか否かを判定するために、送受信部３を介してＲＯＭ６に記憶されたアドレス情報に基づいてインターネット網に接続できるか否かを判定する。そして、ＣＰＵ２は、インターネット網に接続が可能な場合はステップＳ５へ進み、インターネット網に接続が不可能な場合は処理を終了する。
【００４３】
図３におけるステップＳ５では、ＣＰＵ２は、ＴＯＣ情報に関連する曲情報を取得するために、ステップＳ１にて取得したＴＯＣ情報及びユーザ識別情報を送受信部３を介して曲情報配信装置２００のＣＰＵ２０に送信する。
【００４４】
このＴＯＣ情報を受信した曲情報配信装置２００のＣＰＵ２０は、図４におけるステップＳ１１にて、このＴＯＣ情報に関連する曲情報を曲情報配信装置２００のＨＤＤ２２の曲情報データベース２３にて検索する。
【００４５】
そして、図４におけるステップＳ１２では、ＣＰＵ２０は、ステップＳ１１での検索結果に基づいて曲情報があるか否かを判定し、ＨＤＤ２２に曲情報が記憶されていた場合はステップＳ１３へ進み、ＨＤＤ２２に曲情報が記憶されていなかった場合はステップＳ２２へ進む。
【００４６】
図４におけるステップＳ２２では、ＣＰＵ２０は、ユーザＤＢ２４からユーザの履歴情報を取得する。これは、今回受信したＴＯＣ情報に関連する曲情報がＨＤＤ２２に記憶されておらず、送受信部２１にて送信するデータ量が後ほど説明する最大送信容量を超えていないため、他の曲情報などを検索するための情報を得るためである。
【００４７】
図４におけるステップＳ１３では、ＣＰＵ２０は、ステップＳ１１にて抽出された曲情報のデータ量が最大送信容量よりも大きいか否かを判定する。ＣＰＵ２０は、ステップＳ１１にて抽出された曲情報のデータ量が最大送信容量よりも小さい場合はステップＳ１４へ進み、ステップＳ１１にて抽出された曲情報のデータ量が最大送信容量よりも大きい場合はステップＳ２０へ進む。
【００４８】
これは、通信時間が長くなることによってユーザに不快感を与えることを低減しつつ、効率的に曲情報を送信するためである。本実施の形態における送受信部３のような車両に搭載される通信装置は、一般的には通信容量が小さい。このような通信装置を用いて大量のデータを送受信する場合、通信時間が長くなり、ユーザに不快感を与える可能性がある。
【００４９】
従って、ＣＰＵ２０が送受信部２１を介して送信する曲情報のデータ量が最大送信容量になるまで必用に応じて曲情報などの情報を付加して送信するようにする。なお、この最大送信容量は、送受信部３の通信容量に応じて適切な値を設定してＣＰＵ２などの図示しない記憶装置に記憶しておく。また、本実施の形態における最大送信容量とは、あくまでも通信時間の長時間化を防止するための目安であり、送信するデータ量が最大送信容量を多少超えた場合でも、通信を不可能にするというものではない。
【００５０】
図４におけるステップＳ１４では、ＣＰＵ２０は、送信する曲情報のデータ量がまだ最大送信容量を超えておらず、他の曲情報などを送信する余地があるため、他の曲情報などを検索するための情報としてユーザＤＢ２４からユーザの履歴情報を取得する。
【００５１】
図４におけるステップＳ１５では、ＣＰＵ２０は、上述のように効率的に曲情報を送信するために、ステップＳ１１の検索結果及びステップＳ１４にて取得したユーザの履歴情報に基づいて、今回抽出された曲情報のアーティストと同じアーティストであり、今までに送信したことがない曲情報を検索する。
【００５２】
図４におけるステップＳ１６では、ＣＰＵ２０は、ステップＳ１５までに抽出された曲情報のデータ量が最大送信容量よりも大きいか否かを判定する。ＣＰＵ２０は、ステップＳ１５までに抽出された曲情報のデータ量が最大送信容量よりも小さい場合は、まだ他の曲情報などを送信できる余地があると判断しステップＳ１７へ進む。一方、ステップＳ１５までに抽出された曲情報のデータ量が最大送信容量よりも大きい場合は、これ以上他の曲情報を送信すると通信時間の長時間化を招く可能性があるため、曲情報の検索を止めてステップＳ２０へ進む。
【００５３】
図４におけるステップＳ１７では、ＣＰＵ２０は、送信容量に余裕があるため、ステップＳ１４及びステップＳ２２にて取得したユーザの履歴情報に基づいて、ユーザの好みに応じた新規アルバム情報を検索する。ユーザの好みに応じた新規アルバム情報を検索する場合、ＣＰＵ２０はユーザの履歴情報に基づいて検索回数もしくは送信回数が比較的多い曲情報に含まれるアーティスト、ジャンル、曲調を算出する。すなわち、ＣＰＵ２０は、検索回数もしくは送信回数が比較的多いアーティスト、ジャンル、曲調を算出する。そして、ＣＰＵ２０は、算出したアーティスト、ジャンル、曲調の新規アルバム情報であって、今回の検索日付以降の新規アルバム情報を検索する。
【００５４】
図４におけるステップＳ１８では、ＣＰＵ２０は、ステップＳ１７までに抽出された曲情報などのデータ量が最大送信容量よりも大きいか否かを判定する。ＣＰＵ２０は、ステップＳ１７までに抽出された曲情報などのデータ量が最大送信容量よりも小さい場合は、まだ他の曲情報などを送信できる余地があると判断しステップＳ１９へ進む。一方、ステップＳ１７までに抽出された曲情報などのデータ量が最大送信容量よりも大きい場合は、これ以上他の曲情報を送信すると通信時間の長時間化を招く可能性があるため、曲情報の検索を止めてステップＳ２０へ進む。
【００５５】
図４におけるステップＳ１９では、ＣＰＵ２０は、他の曲情報を送信する余地があるため、今回の検索結果、及びステップＳ１４にて取得したユーザの履歴情報に基づいて、今回抽出された曲情報のジャンルと同じジャンルであり、今までに送信したことがない曲情報を検索する。
【００５６】
図４におけるステップＳ２０では、ＣＰＵ２０は、今回のステップＳ１１、ステップＳ１５、ステップＳ１７、ステップＳ１９にて抽出された曲情報などをユーザＤＢ２４に登録する。これは、次回以降の検索に使用するためである。図４におけるステップＳ２１では、ＣＰＵ２０は、今回の検索で抽出された曲情報などを送受信部２１を介して車載オーディオ装置１００のＣＰＵ２に送信する。
【００５７】
ここで図３に戻ってステップＳ６では、車載オーディオ装置１００のＣＰＵ２は、送受信部３にて曲情報などを受信したか否かを判定する。ＣＰＵ２は、曲情報などを受信した場合はステップＳ７へ進み、曲情報などを受信してない場合は処理を終了する。
【００５８】
図３におけるステップＳ７では、ＣＰＵ２は、曲情報配信装置２００のＣＰＵ２０から受信した曲情報及び／又は新規アルバム情報をＨＤＤ４の曲情報データベースに追加して、曲情報データベースを更新する。
【００５９】
図３におけるステップＳ８では、ＣＰＵ２は、受信した曲情報にステップＳ５にて送信したＴＯＣ情報に関連する曲情報が含まれる場合は、その曲情報を表示制御部８に出力することによってモニタ８ａに曲情報を表示する。また、新規アルバム情報を受信した場合は、その新規アルバム情報を表示制御部８に出力することによってモニタ８ａに新規アルバム情報を表示する。
【００６０】
なお、本実施の形態においては、必用に応じて付加する情報を今回抽出されたアーティストと同じアーティストの曲情報、ユーザの好みに応じた新規アルバム情報、今回抽出された曲情報のジャンルと同じジャンルの曲情報とする例を用いて説明したが、本発明はこれに限定されるものではない。
【００６１】
必用に応じて付加する情報としては、検索回数もしくは送信回数が比較的多い曲情報に含まれるアーティスト、ジャンル、曲調、すなわち検索回数もしくは送信回数が比較的多いアーティスト、ジャンル、曲調など、ユーザの好みと思われる曲情報とするようにしてもよい。
【００６２】
また、その他にも必用に応じて付加する情報としては、検索回数もしくは送信回数が比較的多い曲情報に含まれるアーティスト、ジャンル、曲調に対応する新規アルバム情報、コンサート情報などの付加情報としてもよい。
【００６３】
また、これらの必用に応じて付加する情報は、1つの情報を用いてもよいし、複数の情報を用いてもよい。また、情報を複数用いる場合、その組み合わせを限定するものではない。
【図面の簡単な説明】
【００６４】
【図１】本発明の実施の形態に係わる車載オーディオ装置１００の概略構成を示すブロック図である。
【図２】本発明の実施の形態に係わる曲情報配信装置２００の概略構成を示すブロック図である。
【図３】本発明の実施の形態に係わる車載オーディオ装置１００の動作を示すフロー図である。
【図４】本発明の実施の形態に係わる曲情報配信装置２００の動作を示すフロー図である。
【符号の説明】
【００６５】
１  ＣＤドライブ、１ａ  音楽ＣＤ、２  ＣＰＵ、３  送受信部、４  ＨＤＤ、５  Ｄ／Ａコンバータ、５ａ  アンプ、５ｂ  スピーカ、６  ＲＯＭ、７  ＲＡＭ、８  表示制御部、８ａ  モニタ、９  リモコン受信機、９ａ  リモコン、２０  ＣＰＵ、２１  送受信部、２２  ＨＤＤ、２３  曲情報ＤＢ、２４  ユーザＤＢ、１００  車載オーディオ装置、２００  曲情報配信装置
【図１】
2005346640.tif 000003
【図２】
2005346640.tif 000004
【図３】
2005346640.tif 000005
【図４】
2005346640.tif 000006